(57)【要約】【課題】効果的な会議の進行を支援すること。【解決手段】本発明における通信システムは、複数の情報処理端末と、複数の情報処理端末間の通信を制御するサーバ装置と、を備える通信システムであって、情報処理端末がそれぞれ分類されたカテゴリ情報の組合せと、複数の情報処理端末間にて通信を行う場合に情報処理端末間にて行われる予め設定された通信機能を特定する通信機能情報と、を対応付けて記憶する機能情報記憶手段と、複数の情報処理端末間にて通信を行う場合に、当該各情報処理端末に設定されたカテゴリ情報を特定するカテゴリ情報特定手段と、カテゴリ情報特定手段にて特定したカテゴリ情報の組合せに対応付けられた通信機能情報にて特定される通信機能を、情報処理端末間にて実行するように制御する機能制御手段と、を備える。【選択図】図１
2014072772.tif 000002
【特許請求の範囲】
【請求項１】
複数の情報処理端末と、複数の前記情報処理端末間の通信を制御するサーバ装置と、を備える通信システムであって、
前記情報処理端末がそれぞれ分類されたカテゴリ情報の組合せと、複数の前記情報処理端末間にて通信を行う場合に前記情報処理端末間にて行われる予め設定された通信機能を特定する通信機能情報と、を対応付けて記憶する機能情報記憶手段と、
複数の前記情報処理端末間にて通信を行う場合に、当該各情報処理端末に設定された前記カテゴリ情報を特定するカテゴリ情報特定手段と、
前記カテゴリ情報特定手段にて特定した前記カテゴリ情報の組合せに対応付けられた前記通信機能情報にて特定される前記通信機能を、前記情報処理端末間にて実行するように制御する機能制御手段と、
を備える通信システム。
【請求項２】
請求項１に記載の通信システムであって、
前記情報処理端末に予め設定された識別情報と、当該情報処理端末に設定された前記カテゴリ情報と、を対応付けたカテゴリ管理情報を記憶するカテゴリ管理情報記憶手段、
を備え、
前記カテゴリ情報特定手段は、複数の前記情報処理端末間にて通信を行う場合に、通信を行う前記情報処理端末に設定された前記識別情報を取得し、取得した前記識別情報に対応づけられた前記カテゴリ情報を前記カテゴリ管理情報から特定する、
通信システム。
【請求項３】
請求項２に記載の通信システムであって、
前記情報処理端末の前記識別情報と、当該情報処理端末が通信可能な他の情報処理端末の前記識別情報と、を対応付けた利用端末管理情報を記憶する利用端末管理情報記憶手段と、
前記利用端末管理情報に基づいて、通信を行う前記情報処理端末間が通信可能である場合に、当該情報処理端末間を接続するように通信を制御する通信制御手段と、
を備え、
前記機能制御手段は、前記通信制御手段にて接続制御された前記情報処理端末間にて、前記通信機能を実行するように制御する、
通信システム。
【請求項４】
請求項３に記載の通信システムであって、
前記情報処理端末の前記識別情報と前記カテゴリ情報との組合せを取得して、前記カテゴリ管理情報を更新する更新手段、
を備え、
前記通信制御手段は、前記更新手段にて前記カテゴリ管理情報が更新されている間、更新される前記識別情報にて特定される前記情報処理端末の接続を制限し、前記更新手段にて更新が完了した場合に、前記情報処理端末の接続の制限を解除する、
通信システム。
【請求項５】
請求項２乃至４のいずれかに記載の通信システムであって、
前記情報処理端末は、前記機能情報記憶手段と、前記カテゴリ情報特定手段と、前記機能制御手段と、前記カテゴリ管理情報記憶手段と、を備え、
前記カテゴリ情報特定手段は、発信元の情報処理端末と、発信先の情報処理端末と、にそれぞれ設定された前記識別情報に基づいて、前記発信元の情報処理端末の前記カテゴリ情報と、前記発信先の情報処理端末の前記カテゴリ情報と、を特定し、
前記機能制御手段は、特定した前記発信元の情報処理端末の前記カテゴリ情報と、前記発信先の情報処理端末の前記カテゴリ情報と、の組合せに基づいて、当該カテゴリ情報の組合せに対応付けられた前記通信機能情報にて特定される前記通信機能を、前記情報処理端末間にて実行するように制御する、
通信システム。
【請求項６】
請求項５に記載の通信システムであって、
前記サーバ装置は、前記情報処理端末の前記識別情報と、当該情報処理端末が通信可能な他の情報処理端末の前記識別情報と、を対応付けた利用端末管理情報を記憶する利用端末管理情報記憶手段と、
前記利用端末管理情報に基づいて、通信を行う前記情報処理端末間が通信可能である場合に、当該情報処理端末間を接続するように通信を制御する通信制御手段と、
所定の情報処理端末の前記識別情報および前記カテゴリ情報と、当該情報処理端末が通信可能な他の情報処理端末の前記識別情報および前記カテゴリ情報と、を取得して前記利用端末管理情報を更新する利用端末更新手段と、
を備え、
前記情報処理端末は、前記利用端末更新手段にて前記利用端末管理情報が更新された場合に、更新された前記情報処理端末の前記識別情報と前記カテゴリ情報との組合せを取得して、前記カテゴリ管理情報を更新する更新手段、
を備え、
前記通信制御手段は、前記更新手段にて前記カテゴリ管理情報が更新されている間、更新される前記識別情報にて特定される前記情報処理端末の通信を制限し、前記更新手段から更新完了が通知された場合に、前記情報処理端末の通信の制限を解除する、
通信システム。
【請求項７】
請求項２乃至４のいずれかに記載の通信システムであって、
前記サーバ装置は、前記機能情報記憶手段と、前記カテゴリ情報特定手段と、前記機能制御手段と、前記カテゴリ管理情報記憶手段と、を備え、
前記カテゴリ情報特定手段は、発信元の情報処理端末と、発信先の情報処理端末と、にそれぞれ設定された前記識別情報に基づいて、前記発信元の情報処理端末の前記カテゴリ情報と、前記発信先の情報処理端末の前記カテゴリ情報と、を特定し、
前記機能制御手段は、特定した前記発信元の情報処理端末の前記カテゴリ情報と、前記発信先の情報処理端末の前記カテゴリ情報と、の組合せに基づいて、当該カテゴリ情報の組合せに対応付けられた前記通信機能情報にて特定される前記通信機能を、前記情報処理端末間にて実行するように制御する、
通信システム。
【請求項８】
請求項４乃至７に記載の通信システムであって、
前記更新手段は、複数の前記カテゴリ情報の組合せと、当該組合せに対応付ける前記通信機能情報と、を取得して、前記機能対応情報を更新する、
通信システム。
【請求項９】
情報処理端末がそれぞれ分類されたカテゴリ情報の組合せと、複数の前記情報処理端末間にて通信を行う場合に前記情報処理端末間にて行われる予め設定された通信機能を特定する通信機能情報と、を対応付けて記憶する機能情報記憶手段と、
複数の前記情報処理端末間にて通信を行う場合に、当該各情報処理端末に設定された前記カテゴリ情報を特定するカテゴリ情報特定手段と、
特定した前記カテゴリ情報の組合せに対応付けられた前記通信機能情報にて特定される前記通信機能を、前記情報処理端末間にて実行するように制御する機能制御手段と、
を備える情報処理端末。
【請求項１０】
請求項９に記載の情報処理端末であって、
前記情報処理端末に予め設定された識別情報と、当該情報処理端末に予め設定された前記カテゴリ情報と、を対応付けたカテゴリ管理情報を記憶するカテゴリ管理情報記憶手段、
を備え、
前記カテゴリ情報特定手段は、複数の前記情報処理端末間にて通信を行う場合に、通信を行う前記情報処理端末に設定された前記識別情報を取得し、取得した前記識別情報に対応づけられた前記カテゴリ情報を前記カテゴリ管理情報から特定する、
情報処理端末。
【請求項１１】
情報処理端末に、
前記情報処理端末がそれぞれ分類されたカテゴリ情報の組合せと、複数の前記情報処理端末間にて通信を行う場合に前記情報処理端末間にて行われる予め設定された通信機能を特定する通信機能情報と、を対応付けて記憶する機能情報記憶手段と、
複数の前記情報処理端末間にて通信を行う場合に、当該各情報処理端末に設定された前記カテゴリ情報を特定するカテゴリ情報特定手段と、
特定した前記カテゴリ情報の組合せに対応付けられた前記通信機能情報にて特定される前記通信機能を、前記情報処理端末間にて実行するように制御する機能制御手段と、
を実現させるためのプログラム。
【請求項１２】
請求項１１に記載のプログラムであって、
前記情報処理端末は、前記情報処理端末に予め設定された識別情報と、当該情報処理端末に予め設定された前記カテゴリ情報と、を対応付けたカテゴリ管理情報を記憶するカテゴリ管理情報記憶手段を備え、
前記カテゴリ情報特定手段は、複数の前記情報処理端末間にて通信を行う場合に、通信を行う前記情報処理端末に設定された前記識別情報を取得し、取得した前記識別情報に対応づけられた前記カテゴリ情報を前記カテゴリ管理情報から特定する、
プログラム。
【請求項１３】
情報処理端末がそれぞれ分類されたカテゴリ情報の組合せと、複数の前記情報処理端末間にて通信を行う場合に前記情報処理端末間にて行われる予め設定された通信機能を特定する通信機能情報と、を対応付けて記憶し、
複数の前記情報処理端末間にて通信を行う場合に、当該各情報処理端末に設定された前記カテゴリ情報を特定し、
特定した前記カテゴリ情報の組合せに対応付けられた前記通信機能情報にて特定される前記通信機能を、前記情報処理端末間にて実行するように制御する、
情報処理方法。
【請求項１４】
請求項１３に記載の情報処理方法であって、
前記情報処理端末は、前記情報処理端末に予め設定された識別情報と、当該情報処理端末に予め設定された前記カテゴリ情報と、を対応付けたカテゴリ管理情報を記憶するカテゴリ管理情報記憶手段を備え、
複数の前記情報処理端末間にて通信を行う場合に、通信を行う前記情報処理端末に設定された前記識別情報を取得し、取得した前記識別情報に対応づけられた前記カテゴリ情報を前記カテゴリ管理情報から特定する、
情報処理方法。
【請求項１５】
情報処理端末がそれぞれ分類されたカテゴリ情報の組合せと、複数の前記情報処理端末間にて通信を行う場合に前記情報処理端末間にて行われる予め設定された通信機能を特定する通信機能情報と、を対応付けて記憶する機能情報記憶手段と、
前記情報処理端末に予め設定された識別情報と、当該情報処理端末に設定された前記カテゴリ情報と、を対応付けたカテゴリ管理情報を記憶するカテゴリ管理情報記憶手段と、
を備える情報処理端末間の通信を制御するサーバ装置であって、
前記情報処理端末の前記識別情報および前記カテゴリ情報と、当該情報処理端末が通信可能な他の情報処理端末の前記識別情報および前記カテゴリ情報と、を対応付けた利用端末管理情報を記憶する利用端末管理情報記憶手段と、
前記情報処理端末にて前記カテゴリ管理情報が更新されている間、当該情報処理端末の通信を制限し、当該情報処理端末から更新完了が通知された場合に、当該情報処理端末の通信制限を解除する通信制御手段と、
所定の情報処理端末の前記識別情報および前記カテゴリ情報と、当該情報処理端末が通信可能な他の情報処理端末の前記識別情報および前記カテゴリ情報と、を取得して前記利用端末管理情報を更新する利用端末更新手段と、
を備え、
前記利用端末更新手段は、前記情報処理端末にて前記カテゴリ管理情報を更新させるために、取得した前記情報処理端末の前記識別情報と前記カテゴリ情報との組合せを前記情報処理端末へ送信する、
サーバ装置。
【請求項１６】
請求項１５に記載のサーバ装置であって、
前記通信制御手段は、前記利用端末管理情報に基づいて、通信を行う前記情報処理端末間が通信可能である場合に、当該情報処理端末間を接続するように通信を制御する、
サーバ装置。
【発明の詳細な説明】
【技術分野】
【０００１】
本発明は、通信システムにかかり、特に、情報処理端末間の通信を制御する通信システムに関する。
【背景技術】
【０００２】
携帯電話機等の情報処理端末では、様々な機能やサービスが提供されている。例えば、着信側の情報処理端末が、予め特定の通信相手の情報処理端末の電話番号と所定の着信音とを関連付けて記憶し、特定の通信相手の情報処理端末から着信があった場合に、その特定の通信相手の情報処理端末の電話番号に関連付けられた着信音を出力する技術が開示されている（例えば特許文献１参照）。
【先行技術文献】
【特許文献】
【０００３】
【特許文献１】特開２０１２−８４０２６号公報
【発明の概要】
【発明が解決しようとする課題】
【０００４】
ところで、携帯電話機等の情報処理端末が高度化するに伴い、情報処理端末が有する通信機能が増加し操作が複雑になっている。例えば、情報処理端末の通信機能としてＴＶ（Television）電話機能を実行し、相手の顔を見ながら通話する技術が知られている。このような、情報処理端末が有する通信機能を利用する場合には、通常の着信時の操作とは異なる操作が必要になることがある。
【０００５】
従って、子供や高齢者等の情報処理端末の操作に慣れていない利用者は、他の情報処理端末と通信する場合に、情報処理端末が有する所定の通信機能を利用することができないことがあった。その結果、情報処理端末を保持する利用者は、通信相手が想定する所定の通信機能を利用することができないという問題があった。
【０００６】
このため、本発明の目的は、通信相手が想定する所定の通信機能を利用することができないという問題を解決することができる通信システムを提供させることにある。
【課題を解決するための手段】
【０００７】
上記目的を達成すべく、本発明の一形態である通信システムは、
複数の情報処理端末と、複数の前記情報処理端末間の通信を制御するサーバ装置と、を備える通信システムであって、
前記情報処理端末がそれぞれ分類されたカテゴリ情報の組合せと、複数の前記情報処理端末間にて通信を行う場合に前記情報処理端末間にて行われる予め設定された通信機能を特定する通信機能情報と、を対応付けて記憶する機能情報記憶手段と、
複数の前記情報処理端末間にて通信を行う場合に、当該各情報処理端末に設定された前記カテゴリ情報を特定するカテゴリ情報特定手段と、
前記カテゴリ情報特定手段にて特定した前記カテゴリ情報の組合せに対応付けられた前記通信機能情報にて特定される前記通信機能を、前記情報処理端末間にて実行するように制御する機能制御手段と、
を備える、という構成を取る。
【０００８】
また、本発明の他の形態である情報処理端末は、
情報処理端末がそれぞれ分類されたカテゴリ情報の組合せと、複数の前記情報処理端末間にて通信を行う場合に前記情報処理端末間にて行われる予め設定された通信機能を特定する通信機能情報と、を対応付けて記憶する機能情報記憶手段と、
複数の前記情報処理端末間にて通信を行う場合に、当該各情報処理端末に設定された前記カテゴリ情報を特定するカテゴリ情報特定手段と、
特定した前記カテゴリ情報の組合せに対応付けられた前記通信機能情報にて特定される前記通信機能を、前記情報処理端末間にて実行するように制御する機能制御手段と、
を備える、という構成を取る。
【０００９】
また、本発明の他の形態であるプログラムは、
情報処理端末に、
前記情報処理端末がそれぞれ分類されたカテゴリ情報の組合せと、複数の前記情報処理端末間にて通信を行う場合に前記情報処理端末間にて行われる予め設定された通信機能を特定する通信機能情報と、を対応付けて記憶する機能情報記憶手段と、
複数の前記情報処理端末間にて通信を行う場合に、当該各情報処理端末に設定された前記カテゴリ情報を特定するカテゴリ情報特定手段と、
特定した前記カテゴリ情報の組合せに対応付けられた前記通信機能情報にて特定される前記通信機能を、前記情報処理端末間にて実行するように制御する機能制御手段と、
複数の前記情報処理端末間にて通信を行う場合に、当該各情報処理端末に設定された前記カテゴリ情報を特定するカテゴリ情報特定手段と、
特定した前記カテゴリ情報の組合せに対応付けられた前記通信機能情報にて特定される前記通信機能を、前記情報処理端末間にて実行するように制御する機能制御手段と、
を実現させるためのプログラムである。
【００１０】
また、本発明の他の形態である情報処理方法は、
情報処理端末がそれぞれ分類されたカテゴリ情報の組合せと、複数の前記情報処理端末間にて通信を行う場合に前記情報処理端末間にて行われる予め設定された通信機能を特定する通信機能情報と、を対応付けて記憶し、
複数の前記情報処理端末間にて通信を行う場合に、当該各情報処理端末に設定された前記カテゴリ情報を特定し、
特定した前記カテゴリ情報の組合せに対応付けられた前記通信機能情報にて特定される前記通信機能を、前記情報処理端末間にて実行するように制御する、
という構成を取る。
【００１１】
また、本発明の他の形態であるサーバ装置は、
情報処理端末がそれぞれ分類されたカテゴリ情報の組合せと、複数の前記情報処理端末間にて通信を行う場合に前記情報処理端末間にて行われる予め設定された通信機能を特定する通信機能情報と、を対応付けて記憶する機能情報記憶手段と、
前記情報処理端末に予め設定された識別情報と、当該情報処理端末に設定された前記カテゴリ情報と、を対応付けたカテゴリ管理情報を記憶するカテゴリ管理情報記憶手段と、
を備える情報処理端末間の通信を制御するサーバ装置であって、
前記情報処理端末の前記識別情報および前記カテゴリ情報と、当該情報処理端末が通信可能な他の情報処理端末の前記識別情報および前記カテゴリ情報と、を対応付けた利用端末管理情報を記憶する利用端末管理情報記憶手段と、
前記情報処理端末にて前記カテゴリ管理情報が更新されている間、当該情報処理端末の通信を制限し、当該情報処理端末から更新完了が通知された場合に、当該情報処理端末の通信制限を解除する通信制御手段と、
所定の情報処理端末の前記識別情報および前記カテゴリ情報と、当該情報処理端末が通信可能な他の情報処理端末の前記識別情報および前記カテゴリ情報と、を取得して前記利用端末管理情報を更新する利用端末更新手段と、
を備え、
前記利用端末更新手段は、前記情報処理端末にて前記カテゴリ管理情報を更新させるために、取得した前記情報処理端末の前記識別情報と前記カテゴリ情報との組合せを前記情報処理端末へ送信する、
という構成を取る。
【発明の効果】
【００１２】
本発明は、以上のように構成されることにより通信相手が想定する通信機能を確実に実行するという優れた効果を有する。
【図面の簡単な説明】
【００１３】
【図１】本発明における通信システムの構成の概略を示すブロック図である。
【図２】本発明における情報処理端末の構成の概略を示すブロック図である。
【図３】本発明における情報処理端末の演算部の構成を示す機能ブロック図である。
【図４】カテゴリ管理テーブルの例を説明するための図である。
【図５】コミュニケーション機能対応テーブルの例を説明するための図である。
【図６】高齢者初期画面の例を説明するための図である。
【図７】発信者選択画面の例を説明するための図である。
【図８】ＴＶ電話画面の例を説明するための図である。
【図９】資料閲覧画面の例を説明するための図である。
【図１０】家族初期画面の例を説明するための図である。
【図１１】資料提供画面の例を説明するための図である。
【図１２】保健師初期画面の例を説明するための図である。
【図１３】本発明におけるサーバ装置の構成の概略を示すブロック図である。
【図１４】本発明におけるサーバ装置の演算部の構成を示す機能ブロック図である。
【図１５】加入者管理テーブルの例を説明するための図である。
【図１６】カテゴリ管理テーブルの更新の例を示す図である。
【図１７】カテゴリ管理テーブルの更新の例を示す図である。
【図１８】情報処理端末間の通信を開始する場合の動作を説明するシーケンス図である。
【図１９】コミュニケーション機能実行処理を説明するためのフローチャートである。
【図２０】カテゴリ管理テーブルの例を示す図である。
【図２１】加入者管理テーブル更新処理を説明するためのフローチャートである。
【図２２】カテゴリ管理テーブルを更新する場合の動作を説明するためのシーケンス図である。
【発明を実施するための形態】
【００１４】
＜第１実施形態＞
本発明の第１実施形態を、図１乃至図２２を参照して説明する。図１乃至図１７は、通信システム１の構成を説明するための図である。図１８乃至図２２は、通信システム１の動作を説明するための図である。
【００１５】
［構成］
図１は、本実施形態における通信システム１の概要を示す図である。通信システム１は、情報処理端末１１Ａ−１乃至１１Ａ−Ｘ（Ｘは自然数）と、情報処理端末１１Ｂ−１乃至１１Ｂ−Ｙ（Ｙは自然数）と、情報処理端末１１Ｃ−１乃至１１Ｃ−Ｚ（Ｚは自然数）と、サーバ装置１２と、通信網１３と、を備えている。なお、情報処理端末１１Ａ−１乃至１１Ａ−Ｘを個々に区別する必要がない場合、以下単に、情報処理端末１１Ａと記述する。また同様に、情報処理端末１１Ｂ−１乃至１１Ｂ−Ｙを個々に区別する必要がない場合、以下単に、情報処理端末１１Ｂと記述する。さらに、情報処理端末１１Ｃ−１乃至１１Ｃ−Ｚを個々に区別する必要がない場合、以下単に、情報処理端末１１Ｃと記述する。さらにまた、情報処理端末Ａと情報処理端末Ｂと情報処理端末Ｃとを個々に区別する必要がない場合、以下単に、情報処理端末１１と記述する。
【００１６】
情報処理端末１１Ａは、高齢者が操作する情報処理端末である。情報処理端末１１Ｂは、高齢者の家族が操作する情報処理端末である。情報処理端末１１Ｃは、高齢者の健康管理等を行う保健師が操作する情報処理端末である。なお、情報処理端末１１Ｃの操作者は、保健師に限られず、医師、看護師、介護福祉士等でもよい。サーバ装置１２は、通信網１３を介して接続された複数の情報処理端末１１間の通信を制御する。これにより、通信システム１では、高齢者の家族と保健師とが、情報処理端末１１を介して高齢者を見守ることができる。そして、高齢者の体調が悪い場合や高齢者が情報処理端末１１Ａを一定期間操作していない場合には、高齢者の家族や保健師が、高齢者に連絡を取ることができる。
【００１７】
次に、図２を参照して、情報処理端末１１の構成について説明する。図２は、情報処理端末１１の構成例を示すブロック図である。図２に示すように、情報処理端末１１は、演算部２１と、RAM（Random Access Memory）２２と、記憶部２３と、入力部２４と、出力部２５と、通信部２６と、を備えている。
【００１８】
演算部２１は、例えば、CPU（Central Processing Unit）により構成される。演算部２１は、記憶部２３に含まれるROM（Read Only Memory）に格納されたプログラムを読み込み、RAM２２を作業領域としてプログラムを実行することにより、情報処理端末１１を制御するための各種機能を実行する。図３は、演算部２１の機能的構成例を示すブロック図である。プログラムを実行することにより、演算部２１は、図３に示す、取得部４１と、カテゴリ情報特定部４２（カテゴリ情報特定手段）と、機能特定部４３（機能制御手段）と、機能制御部４４（機能制御手段）と、テーブル更新部４５（更新手段）と、の機能ブロックを有する。図３に示す各機能ブロックの詳細については後述する。
【００１９】
記憶部２３は、例えば、ハードディスクドライブや不揮発性メモリ等を備えている。そして、記憶部２３は、カテゴリ管理テーブル３１（カテゴリ管理情報記憶手段）と、コミュニケーション機能対応テーブル３２（機能情報記憶手段）と、を記憶する。カテゴリ管理テーブル３１は、当該カテゴリ管理テーブル３１を記憶する情報処理端末１１と通信可能な他の情報処理端末１１に予め設定された識別情報とカテゴリ情報との組合せを記憶する。識別情報は、各情報処理端末１１に個別に設定されたＩＤ（Identification）や電話番号等である。カテゴリ情報は、複数の情報処理端末のそれぞれを分類するために予め設定された情報である。コミュニケーション機能対応テーブル３２は、発信元の情報処理端末１１のカテゴリ情報と、発信先の情報処理端末１１のカテゴリ情報と、の組合せに対応付けたコミュニケーション機能（通信機能）を特定する情報（通信機能情報）を記憶する。コミュニケーション機能は、複数の情報処理端末１１間にて通信を行う場合に実行される所定の通信機能を表す情報である。
【００２０】
すなわち、情報処理端末１１は、当該情報処理端末１１自身（自端末）に予め設定されたカテゴリ情報と、カテゴリ管理テーブル３１を参照することにより特定した通信相手の情報処理端末１１に設定されたカテゴリ情報と、の組合せに基づいて、当該組合せに対応付けられたコミュニケーション機能を特定する。
【００２１】
まず、図４を参照して、カテゴリ管理テーブル３１の詳細について説明する。図４に示すように、カテゴリ管理テーブル３１は、発信元の情報処理端末１１の識別情報である発信元ＩＤ（発信元識別情報）と、当該発信元ＩＤに対応付けられたカテゴリ情報と、の組合せを記憶する。すなわち、図４のカテゴリ管理テーブル３１を記憶する情報処理端末１１は、発信元ＩＤ「１００８」，「１０２１」，「１０３５」，「１０５２」により特定される情報処理端末１１のそれぞれからの発信を受け付けることができる。一方、カテゴリ管理テーブル３１を記憶する情報処理端末１１は、カテゴリ管理テーブル３１に記憶されていない発信元ＩＤが設定された情報処理端末１１とは接続せず、当該情報処理端末１１からの発信を受け付けないようにすることができる。より具体的には、後述するサーバ装置１２の通信制御部４２１が、カテゴリ管理テーブル３１を記憶する情報処理端末１１と、当該カテゴリ管理テーブル３１に記憶されていない発信元ＩＤが設定された情報処理端末１１と、の間の通信（接続）を行わないように制御する。これにより、勧誘電話やいたずら電話等の迷惑な通信を拒否することができる。
【００２２】
また、カテゴリ管理テーブル３１は、発信先の情報処理端末１１の識別情報である発信先ＩＤ（発信先識別情報）と、当該発信先ＩＤに対応付けられたカテゴリ情報と、の組合せを記憶する。すなわち、図４のカテゴリ管理テーブル３１を記憶する情報処理端末１１は、発信先ＩＤ「１００８」，「１０２１」，「１０３５」，「１０３６」により特定される情報処理端末１１のそれぞれへ発信を行うことができる。
【００２３】
なお、情報処理端末１１は、カテゴリ管理テーブル３１に記憶されていない発信元ＩＤが設定された情報処理端末１１から発信を受け付けた場合、および、カテゴリ管理テーブル３１に記憶されていない発信先ＩＤが設定された情報処理端末１１へ発信を行う場合、カテゴリ管理テーブル３１に記憶されていない発信元ＩＤおよび発信先ＩＤにデフォルトのカテゴリ情報（例えば「新規」）を設定することができる。そして、情報処理端末１１（後述する機能特定部４３）は、カテゴリ情報「新規」に基づいてコミュニケーション機能を特定することができる。これにより、情報処理端末１１は、カテゴリ管理テーブル３１に発信元ＩＤまたは発信先ＩＤが記憶されていない情報処理端末１１に対して、予め設定されたコミュニケーション機能を利用して通信を行うこともできる。
【００２４】
次に、図５を参照して、コミュニケーション機能対応テーブル３２の詳細について説明する。図５に示すように、コミュニケーション機能対応テーブル３２は、発信元の情報処理端末１１のカテゴリ情報と、発信先の情報処理端末１１のカテゴリ情報と、の組合せ（情報処理端末がそれぞれ分類されたカテゴリ情報の組合せ）に対応付けたコミュニケーション機能を記憶する。例えば、カテゴリ情報が「高齢者」である情報処理端末１１Ａ−１から、カテゴリ情報が「高齢者」である他の情報処理端末１１Ａ−２への発信が行われた場合、発信元の情報処理端末１１Ａ−１は、コミュニケーション機能対応テーブル３２を参照することにより、「発信機能：ＴＶ電話」（通信機能情報）を特定し、「発信機能：ＴＶ電話」により特定されるＴＶ電話機能を実行する。また、同様に、発信先の情報処理端末１１Ａ−２は、コミュニケーション機能対応テーブル３２を参照することにより「着信機能：ＴＶ電話」を特定し、ＴＶ電話機能を実行する。このように、コミュニケーション機能対応テーブル３２を参照することで、通信を行う各情報処理端末１１は、カテゴリ情報の組合せに応じたコミュニケーション機能を自動的に特定し、実行することができる。なお、カテゴリ情報は図５の例に限られず、例えばコミュニケーション機能対応テーブル３２は、上述した「新規」のカテゴリ情報と他のカテゴリ情報との組合せに対応付けたコミュニケーション機能を特定する情報（通信機能情報）を記憶してもよい。
【００２５】
図２に戻り、入力部２４は、例えば、出力部２５の表示面上に形成されたタッチパネル式入力装置であり、ユーザからの入力を受け付ける。例えば、入力部２４は、ユーザが発信を所望する他の情報処理端末１１の識別情報（例えば電話番号）の入力（発信操作）を受け付ける。また、入力部２４は、他の情報処理端末１１から着信があった場合に、ユーザによる着信操作を受け付ける。なお、入力部２４は、タッチパネル式入力装置に限られず、キーボードや、マウス、Ｗｅｂカメラ等であってもよい。また、入力部２４は、例えば受話器等に配置されたマイクを備え、ユーザの音声を受け付ける。
【００２６】
出力部２５は、例えば、ディスプレイ（表示装置）であり、情報処理端末１１Ａ，１１Ｂ，１１Ｃのそれぞれに予め設定された初期画面を表示する。出力部２５が表示する各初期画面については後述する。また、出力部２５は、情報処理端末１１が他の情報処理端末１１と通信する場合に、実行するコミュニケーション機能に予め設定された表示コンテンツ等を表示する。なお、出力部２５は、ディスプレイに限られず、スピーカ等の音声を出力する装置であってもよい。さらに、出力部２５は、受話器等に配置されたスピーカを備え、自端末と通信する他の情報処理端末１１を保持するユーザからの音声を出力する。
【００２７】
通信部２６は、通信網１３を介して、他の情報処理端末１１およびサーバ装置１２と通信する。通信部２６は、通信網１３を介してサーバ装置１２と通信することにより、ユーザが通信を所望する他の情報処理端末１１と通信（接続を確立）する。また、通信部２６は、接続が確立された他の情報処理端末１１と、画像情報や音声情報を送受信する。
【００２８】
次に、演算部２１の各機能ブロックの処理の詳細について説明する。まず、高齢者が操作する情報処理端末１１Ａにおける処理について説明する。なお、情報処理端末１１Ａの各ブロックは、演算部２１Ａと、RAM２２Ａと、記憶部２３Ａと、入力部２４Ａと、出力部２５Ａと、通信部２６Ａと、記述する。また同様に、演算部２１Ａの各機能ブロックは、取得部４１Ａと、カテゴリ情報特定部４２Ａと、機能特定部４３Ａと、機能制御部４４Ａと、テーブル更新部４５Ａと、記述する。以下の他の構成についても同様とする。
【００２９】
まず、高齢者が操作する情報処理端末１１Ａの出力部２５Ａは、初期画面として図６の高齢者初期画面６１を表示する。高齢者初期画面６１には、高齢者の体調を入力するための体調情報が表示される。体調情報は、「よい」と「ふつう」と「わるい」との３つの項目７１乃至７３（例えばアイコン）を有している。なお、体調情報の項目は、上記３つの項目に限られず、出力部２５Ａは、１つまたは２つの項目を表示してもよいし、４つ以上の項目を表示してもよい。取得部４１Ａは、入力部２４Ａを介して入力された体調情報（例えば項目７１乃至７３のいずれか）を取得する。通信部２６Ａは、取得した体調情報を、予め設定された情報処理端末１１Ｂ，１１Ｃに送信する。これにより、例えば離れた場所に住んでいる高齢者の体調を容易に知ることができる。
【００３０】
なお、通信部２６Ａは、取得部４１Ａにて取得した体調情報が「悪い」である場合に、予め設定された情報処理端末１１Ｂ，１１Ｃに体調情報を送信し、体調情報が「よい」または「ふつう」である場合には、体調情報を送信しないようにしてもよい。また、通信部２６Ａは、予め設定された時間（例えば２４時間）内に取得部４１Ａが体調情報を取得しなかった場合に、予め設定された情報処理端末１１Ｂ，１１Ｃに、体調情報の入力がない旨を表す情報を送信してもよい。
【００３１】
また、高齢者初期画面６１には、発信先または発信元のカテゴリ情報を表す「保健師」と「家族」と「おはなし（高齢者）」との３つの項目８１乃至８３が表示される。例えば、ユーザ（高齢者）が他の高齢者へ発信を行う場合には、「おはなし（高齢者）」の項目８３を選択する。そして、取得部４１Ａは、入力部２４Ａを介してユーザが選択した「おはなし（高齢者）」の項目８３を取得する。取得部４１Ａが「おはなし（高齢者）」の項目８３を取得すると、出力部２５Ａは、発信相手を特定するための発信者選択画面を表示する。図７を参照して、発信者選択画面９１について説明する。
【００３２】
図７の発信者選択画面９１では、出力部２５Ａが、予め記憶された発信先の高齢者を表す「Ａさん」と「Ｂさん」と「Ｃさん」と「Ｄさん」とを発信者一覧画面１０１に表示する。具体的には、カテゴリ情報特定部４２Ａ（または取得部４１Ａ）は、図４のカテゴリ管理テーブル３１に記憶された発信先ＩＤのうちカテゴリ情報が「高齢者」である発信先ＩＤ（例えば「１０２１」，…）を取得する。そして、出力部２５Ａは、取得した発信先ＩＤに予め設定された通信相手（高齢者）の名前（例えば「Ｂさん」）を発信者一覧画面１０１に表示する。そして、例えば、ユーザが「Ｂさん」を選択した場合、カテゴリ情報特定部４２Ａは、入力部２４Ａを介してユーザ（高齢者）が選択した「Ｂさん」に対応付けられた識別情報（例えば発信先ＩＤ「１０２１」）を取得する。また、カテゴリ情報特定部４２Ａは、予め記憶された自端末の識別情報（発信元ＩＤ）を取得する。そして、ユーザにより「発信」ボタンが選択されると、通信部２６Ａは、取得した識別情報にて特定される「Ｂさん」の情報処理端末１１Ａへ接続要求を送信する。なお、接続要求は、取得した発信元ＩＤと発信先ＩＤとを含む情報である。
【００３３】
また、カテゴリ情報特定部４２Ａは、図４のカテゴリ管理テーブル３１を参照して、取得した識別情報（例えば発信先ＩＤ「１０２１」）に対応付けられたカテゴリ情報（例えば発信先のカテゴリ情報「高齢者」）を特定する。さらに、カテゴリ情報特定部４２Ａは、自端末の識別情報に対応付けられたカテゴリ情報（例えば発信元のカテゴリ情報「高齢者」）を特定する。なお、接続要求は、発信元ＩＤと発信先ＩＤとを含む情報であるとしたが、上記にて特定した発信先のカテゴリ情報と発信元のカテゴリ情報とを含んでもよい。接続要求が発信先のカテゴリ情報と発信元のカテゴリ情報とを含むことで、接続要求を受信した他の情報処理端末１１（またはサーバ装置１２）がカテゴリ情報を特定する処理を省略することができ、迅速にコミュニケーション機能を利用することができる。
【００３４】
機能特定部４３Ａは、図５のコミュニケーション機能対応テーブル３２を参照して、特定したカテゴリ情報の組合せに対応付けられたコミュニケーション機能（を特定するための情報）を特定する。上記の例では、発信元の情報処理端末１１（自端末）のカテゴリ情報が「高齢者」であり、発信先の情報処理端末１１のカテゴリ情報が「高齢者」であるので、機能特定部４３Ａは、発信元「高齢者」と発信先「高齢者」との組合せに対応付けられたコミュニケーション機能として「発信機能：ＴＶ電話」を特定する。
【００３５】
機能制御部４４Ａは、機能特定部４３Ａにて特定したコミュニケーション機能を実行するように制御する。上記の例では、機能制御部４４Ａは、機能特定部４３Ａにて特定した「ＴＶ電話」の実行を制御する。例えば、機能制御部４４Ａは、出力部２５ＡにＴＶ電話画面の表示を指示する。ＴＶ電話画面の表示の指示を受けた出力部２５Ａは、図８に示すＴＶ電話画面１３１を表示する。出力部２５Ａは、ＴＶ電話画面１３１上に、相手側映像画面１４１と、ユーザ側映像画面１４２と、を表示する。相手側映像画面１４１は、通信相手側の情報処理端末１１に備えられたＷｅｂカメラ等から取得した相手側の映像を表示する画面である。ユーザ側映像画面１４２は、自端末に備えられたＷｅｂカメラ等から取得したユーザ側の映像を表示する画面である。このように、ユーザが通信相手を選択することで、自動的にコミュニケーション機能を特定し、特定したコミュニケーション機能を実行するので、情報処理端末１１の操作に慣れていないユーザでも容易に所定のコミュニケーション機能を利用することができる。
【００３６】
一方、発信先の情報処理端末１１（例えば「Ｂさん」の情報処理端末１１Ａ）では、まず、通信部２６Ａが、発信元の情報処理端末１１から送信された接続要求をサーバ装置１２を介して受信する。そして、カテゴリ情報特定部４２Ａは、受信した接続要求に含まれる識別情報（発信元ＩＤと発信先ＩＤ）を取得する。続いて、カテゴリ情報特定部４２Ａは、例えば自端末に記憶されたカテゴリ管理テーブル３１を参照して、識別情報に対応付けられたカテゴリ情報を特定する。これにより、発信元の情報処理端末１１のカテゴリ情報と、発信先の情報処理端末１１（自端末）のカテゴリ情報と、を特定することができる。なお、カテゴリ情報特定部４２Ａは、予め記憶された自端末のカテゴリ情報を直接参照（取得）して、カテゴリ情報を特定してもよい。
【００３７】
また、カテゴリ情報を特定した後、出力部２５Ａは、他の情報処理端末１１からの着信があった旨をユーザに通知する。具体的には、出力部２５Ａは、予め設定された音声を出力するとともに、図６の高齢者初期画面６１に表示した「保健師」と「家族」と「おはなし（高齢者）」との項目８１乃至８３のうち、着信した情報処理端末１１のカテゴリ情報に対応する項目（例えば「おはなし（高齢者）」の項目８３）を点滅（または点灯）させる。
【００３８】
また、機能特定部４３Ａは、発信元の情報処理端末１１の処理と同様に、図５のコミュニケーション機能対応テーブル３２を参照して、特定したカテゴリ情報の組合せに対応付けられたコミュニケーション機能を特定する。そして、機能制御部４４Ａは、機能特定部４３Ａにて特定したコミュニケーション機能を実行するように制御する。具体的には、ユーザにより点滅した項目が選択されたときに、機能制御部４４Ａは、機能特定部４３Ａにて特定したコミュニケーション機能を実行するように制御する。また、ユーザが情報処理端末１１に設置された受話器をとることで、機能制御部４４Ａは、機能特定部４３Ａにて特定したコミュニケーション機能を実行するように制御することができる。これにより、発信先の情報処理端末１１でも、自動的にコミュニケーション機能を特定し、特定したコミュニケーション機能を実行するので、情報処理端末１１の操作に慣れていないユーザでも容易に所定のコミュニケーション機能を利用することができる。そして、機能制御部４４は、ＴＶ電話画面１３１の切断１４３が選択された場合に、通信相手の情報処理端末１１との通信を終了するように制御する。
【００３９】
次に、情報処理端末１１Ａが、高齢者の家族が操作する情報処理端末１１Ｂへ発信を行う場合について説明する。図６の高齢者初期画面６１にてユーザにより「家族」が選択されると、取得部４１Ａは、「家族」の項目８２を取得する。そして、出力部２５Ａは、発信先の家族の情報を含む発信者選択画面９１（図７）を表示する。そして、ユーザにより発信先の家族が選択されると、カテゴリ情報特定部４２Ａは、選択された家族に予め対応付けられた識別情報を取得する。続いてユーザにより「発信」ボタンが選択されると、通信部２６Ａは、取得した識別情報にて特定される家族の情報処理端末１１Ｂへ接続要求を送信する。
【００４０】
また、カテゴリ情報特定部４２Ａは、図４のカテゴリ管理テーブル３１を参照して、取得した識別情報に対応付けられたカテゴリ情報を特定する。これにより、カテゴリ情報特定部４２Ａは、発信先の情報処理端末１１のカテゴリ情報「高齢者」と、発信先の情報処理端末１１のカテゴリ情報「家族」と、を特定する。次に、機能特定部４３Ａは、図５のコミュニケーション機能対応テーブル３２を参照して、特定したカテゴリ情報の組合せに対応付けられたコミュニケーション機能を特定する。上記の例では、発信元の情報処理端末１１のカテゴリ情報が「高齢者」であり、発信先の情報処理端末１１のカテゴリ情報が「家族」であるので、機能特定部４３Ａは、発信元「高齢者」と発信先「家族」との組合せに対応付けられたコミュニケーション機能として「発信機能：ＴＶ電話＋資料閲覧」を特定する。
【００４１】
機能制御部４４Ａは、機能特定部４３Ａにて特定したコミュニケーション機能を実行するように制御する。上記の例では、機能制御部４４Ａは、機能特定部４３Ａにて特定した「ＴＶ電話＋資料閲覧」の実行を制御する。例えば、機能制御部４４Ａは、出力部２５Ａに資料閲覧画面の表示を指示する。資料閲覧画面の表示の指示を受けた出力部２５Ａは、図９に示す資料閲覧画面１６１を表示する。
【００４２】
出力部２５Ａは、資料閲覧画面１６１上に、画像（資料）表示画面１７１と、ユーザ側映像画面１７２と、相手側映像画面１７３と、を表示する。画像表示画面１７１は、予め設定された場所（例えば発信先の情報処理端末１１Ｂの記憶部２３Ｂ）に記憶された情報（例えば画像）を表示する画面である。画像表示画面１７１にて表示する情報は、機能特定部４３Ａによりコミュニケーション機能が特定された後に、機能制御部４４Ａが（例えば通信部２６Ａを介して）取得する。例えば機能制御部４４Ａは、発信先の情報処理端末１１Ｂに記憶された画像情報（例えば家族の写真）を取得し、画像表示画面１７１に表示する。また、機能制御部４４Ａは、図９の資料閲覧画面１６１上に表示される画像表示画面１７１と、後述する図１１Ａの資料提供画面２４１上に表示される画像表示画面２５１と、のそれぞれを同期させるように制御する。これにより、情報処理端末１１Ａと情報処理端末１１Ｂとのぞれぞれに同じ画像を表示し、画像を共有させることができる。
【００４３】
ユーザ側映像画面１７２は、自端末に備えられたＷｅｂカメラ等から取得したユーザ側の映像を表示する画面である。相手側映像画面１７３は、通信相手側の情報処理端末１１に備えられたＷｅｂカメラ等から取得した相手側の映像を表示する画面である。このように、自動的に写真などの画像を取得して表示するので、情報処理端末１１の操作に慣れていないユーザでも容易に所定の画像を閲覧することができる。
【００４４】
次に、高齢者の家族が操作する情報処理端末１１Ｂにおける処理について説明する。高齢者が操作する情報処理端末１１Ｂの出力部２５Ｂは、初期画面として図１０の家族初期画面２０１を表示する。家族初期画面２０１には、高齢者の体調等の情報を出力する高齢者情報表示画面２１１が表示される。高齢者情報表示画面２１１の「状態」は、高齢者が入力し、通信部２６Ｂを介して受信した体調情報を表す情報である。例えば、出力部２５Ｂは、高齢者により体調情報として「よい」が選択された場合に、高齢者情報表示画面２１１の「状態」に「〇」を表示する。同様に、出力部２５Ｂは、高齢者により体調情報として「ふつう」が選択された場合に、「状態」に「△」を表示し、体調情報として「わるい」が選択された場合に、「状態」に「×」を表示する。また、出力部２５Ｂは、まだ体調情報が入力されていない場合には、「状態」に「−」を表示する。このように、高齢者情報表示画面２１１の「状態」には、体調情報に関連付けられた情報が表示される。勿論、出力部２５Ｂは、高齢者情報表示画面２１１の「状態」に、高齢者により選択された体調情報を直接出力してもよい。
【００４５】
高齢者情報表示画面２１１の「備考」は、高齢者が情報処理端末１１Ａを利用した履歴等を表す情報である。例えば、情報処理端末１１Ａからの発信、または、他の情報処理端末１１からの着信があった場合に、情報処理端末１１Ｂの通信部２６Ｂは、その旨を表す情報を受信し、出力部２５Ｂが「友達と会話」を出力する。
【００４６】
また、家族初期画面２０１には、高齢者初期画面６１と同様に、発信先または発信元のカテゴリ情報を表す「保健師」と「家族」と「高齢者」との３つの項目２２１乃至２２３が表示される。家族が「保健師」と「家族」と「高齢者」との項目２２１乃至２２３を操作することで、他の情報処理端末１１への発信または他の情報処理端末１１からの着信を行うことができる。情報処理端末１１Ｂの発信時および着信時の動作は、情報処理端末１１Ａと同様であるので、詳細な説明は省略する。
【００４７】
例えば、情報処理端末１１Ｂが、高齢者の情報処理端末１１Ａと通信（発信または着信）する場合に、機能特定部４３Ｂは、図５のコミュニケーション機能対応テーブル３２を参照して、コミュニケーション機能として「ＴＶ電話＋資料提供」を特定する。このとき、機能制御部４４Ｂは、機能特定部４３Ｂにて特定した「ＴＶ電話＋資料提供」の実行を制御する。例えば、機能制御部４４Ｂは、出力部２５Ｂに資料提供画面の表示を指示する。資料提供画面の表示の指示を受けた出力部２５Ａは、図１１Ａに示す資料提供画面２４１を表示する。
【００４８】
出力部２５Ｂは、資料提供画面２４１上に、画像（資料）表示画面２５１と、ユーザ側映像画面２５２と、相手側映像画面２５３と、制御パネル２５４と、を表示する。画像表示画面２５１は、図１０の画像表示画面１７１と同様に、予め設定された場所（例えば発信先の情報処理端末１１Ｂの記憶部２３Ｂ）に記憶された情報（例えば画像）を表示する画面である。画像表示画面１７１にて表示する情報は、機能特定部４３Ｂによりコミュニケーション機能が特定された後に、機能制御部４４Ｂが取得する。そして、機能制御部４４Ｂは、資料提供画面２４１上に表示される画像表示画面２５１と、図９の資料閲覧画面１６１上に表示される画像表示画面１７１と、のそれぞれを同期させるように制御する。これにより、情報処理端末１１Ａと情報処理端末１１Ｂとのぞれぞれに同じ画像を表示して、画像を共有させることができる。
【００４９】
ユーザ側映像画面２５２は、自端末に備えられたＷｅｂカメラ等から取得したユーザ側の映像を表示する画面である。相手側映像画面２５３は、通信相手側の情報処理端末１１に備えられたＷｅｂカメラ等から取得した相手側の映像を表示する画面である。制御パネル２５４は、資料提供画面２４１（および通信相手の資料提供画面１６１）に表示した情報を制御するための操作画面である。なお、制御パネル２５４には、制御パネル２５４の表示領域に制御パネル２５４の内容（図１１Ｂ）をそのまま表示してもよいし、制御パネル２５４がユーザにより選択されたときに、制御パネル２５４を拡大して制御パネル２５４の内容（図１１Ｂ）を表示してもよい。制御部パネル２５４の詳細について図１１Ｂを参照して説明する。
【００５０】
図１１Ｂに示すように、制御パネル２５４は、画面切替２６１と、資料提供２６２と、描画２６３と、切断２６４と、の選択可能な情報を有している。画面切替２６１は、資料提供画面２５１と相手側映像画面２５３とを切り替えるための情報を示している。画面切替２６１が選択されると、機能制御部４４Ｂは、資料提供画面２５１を表示している領域に、拡大した相手側映像画面２５３を表示するように制御する。またこのとき、例えば通信相手である情報処理端末１１Ａの機能制御部４４Ａは、図９の資料閲覧画面１７１が表示している領域に、拡大した相手側映像画面１７３を表示するように制御する。
【００５１】
資料提供２６２は、資料提供画面２５１に表示する情報を選択するための情報を示している。資料提供２６２が選択されると、機能制御部４４Ｂは、資料選択画面２７１に資料提供画面２５１に表示する予め記憶された情報（画像等）を表示するように制御する。なお、機能制御部４４Ｂは、資料選択画面２７１を拡大して表示してもよい。そして、ユーザにより画像等の情報が選択された場合に、機能制御部４４Ｂは、資料選択画面２７１に選択された画像等を表示する。また、例えば通信相手である情報処理端末１１Ａの機能制御部４４Ａは、図９の資料閲覧画面１７１に、選択された画像等を表示して、表示を同期するように制御する。
【００５２】
描画２６３は、資料提供画面２５１上に手書きの線などを描くための情報を示す。機能制御部４４Ｂは、資料提供画面２５１上におけるユーザからの手書き入力に基づいて、手書きの情報を出力するように制御する。また、通信相手である情報処理端末１１Ａの機能制御部４４Ａは、資料提供画面２５１上におけるユーザからの手書き入力に基づく手書きの出力を資料閲覧画面１７１に表示する。これにより、ユーザが資料提供画面２５１に表示された画像や資料などの説明を容易にすることができる。切断２６４は、通信相手の情報処理端末１１との通信を終了するための情報を示す。
【００５３】
このように、情報処理端末１１の操作に慣れていると想定される高齢者の家族が、画像等を選択して表示させる等の各種の操作を行い、情報処理端末１１の操作に慣れていないと想定される高齢者は、所定の操作を行わずに、高齢者の家族が表示を指示した画像等を閲覧するので、操作に慣れていないユーザにも多様な機能を提供することができる。
【００５４】
次に、高齢者の健康管理等を行う保健師が操作する情報処理端末１１Ｃにおける処理について説明する。情報処理端末１１Ｃの発信時および着信時の動作は、情報処理端末１１Ａ，１１Ｂと同様であるので、詳細な説明は省略する。保健師が操作する情報処理端末１１Ｃの出力部２５Ｃは、初期画面として図１２の保健師初期画面３０１を表示する。保健師初期画面３０１には、表示画面３１１と、ユーザ選択３１２と、発信３１３と、着信３１４と、着信表示３１５と、端末状況モニタ３１６と、が表示される。
【００５５】
ユーザ選択３１２は、発信先の通信相手を選択するための情報である。ユーザ選択３１２に選択されると、機能制御部４４Ｃは、表示画面３１１上に予め記憶された発信相手の情報を表示する。発信相手が選択された後に、発信３１３が選択されると、通信部２６Ｃは、接続要求を発信先の情報処理端末１１へ送信する。
【００５６】
着信３１４は、他の情報処理端末１１から着信があった場合に選択される情報である。機能制御部４４Ｃは他の情報処理端末１１から着信があった場合、着信３１４を点滅させるように制御し、ユーザに着信があった旨を通知する。着信表示３１５は、着信相手の名前等の情報を表示する領域である。
【００５７】
端末状況モニタ３１６は、予め設定された高齢者が操作する情報処理端末１１Ａの体調情報等を監視するための情報である。例えば、端末状況モニタ３１６が選択されると、機能制御部４４Ｃは、表示画面３１１上に各情報処理端末１１Ａの体調情報を表示する。これにより、高齢者を容易に見守ることができる。
【００５８】
次に、図１３を参照して、サーバ装置１２の構成について説明する。なお、情報処理端末１１のテーブル更新部４５についても以下に説明する。図１３は、サーバ装置１２の構成例を示すブロック図である。図１３に示すように、サーバ装置１２は、演算部４０１と、RAM４０２と、記憶部４０３と、通信部４０４と、を備えている。
【００５９】
演算部４０１は、例えば、CPUにより構成される。演算部４０１は、記憶部４０３に含まれるROMに格納されたプログラムを読み込み、RAM４０２を作業領域としてプログラムを実行することにより、サーバ装置１２を制御するための各種機能を実行する。図１４は、演算部４０１の機能的構成例を示すブロック図である。プログラムを実行することにより、演算部４０１は、通信制御部４２１（通信制御手段）と、カテゴリ管理部４２２（利用端末更新手段）と、の機能ブロックを有する。なお、サーバ装置１２は、通信制御部４２１の機能を有する通信制御サーバと、カテゴリ管理部４２２の機能を有するカテゴリ管理サーバと、の２つのサーバ装置を備えることもできる。
【００６０】
通信制御部４２１は、通信網１３と通信部４０４とを介して、情報処理端末１１から接続要求を受信し、受信した接続要求を当該接続要求により接続が要求された他の情報処理端末１１へ送信する。また、通信制御部４２１は、接続要求を受信した情報処理端末１１から接続要求に対する応答を受信した場合に、接続要求を送信した情報処理端末１１へ応答を送信するととともに、接続要求を送信した情報処理端末１１と、接続要求を受信した情報処理端末１１と、の間を接続するように通信を制御する。そして、通信制御部４２１は、情報処理端末１１から切断が指示された場合に、当該情報処理端末１１を含む情報処理端末１１間の通信を終了するように制御する。
【００６１】
カテゴリ管理部４２２は、記憶部４０３に記憶された加入者管理テーブル４１１（利用端末管理情報記憶手段）に基づいて、各情報処理端末１１に記憶されたカテゴリ管理テーブル３１（例えば図４）を更新するように制御する。まず、加入者管理テーブル４１１について説明する。
【００６２】
記憶部４０３は、例えば、ハードディスクドライブや不揮発性メモリ等を備え、加入者管理テーブル４１１を記憶する。加入者管理テーブル４１１は、通信可能な情報処理端末１１の組合せを記憶した情報である。図１５を参照して、加入者管理テーブル４１１の詳細について説明する。
【００６３】
図１５に示すように、加入者管理テーブル４１１は、発信元の情報処理端末１１の識別情報である（発信元）ＩＤおよび発信元の情報処理端末１１のカテゴリ情報と、発信先の情報処理端末１１の（発信先）ＩＤ（および発信先の情報処理端末１１のカテゴリ情報（図示せず））と、の組合せに対応付けて、通信の可否を表す情報を記憶する。例えば、発信元の情報処理端末１１「ＩＤ１００１」と、発信先の情報処理端末１１「ＩＤ１００２」と、の組合せには、「〇」が設定されており、情報処理端末１１「ＩＤ１００１」から情報処理端末１１「ＩＤ１００２」への通信が可能（通信許可）であることを表している。また、発信元の情報処理端末１１「ＩＤ１００１」と、発信先の情報処理端末１１「ＩＤ１００３」と、の組合せには、空欄が設定されており（「〇」が設定されていないので）、情報処理端末１１「ＩＤ１００１」から情報処理端末１１「ＩＤ１００３」への通信が不可能（通信不許可）であることを表している。このように、発信元の情報処理端末１１と発信先の情報処理端末１１の組合せに応じて通信の可否を管理することにより、勧誘電話やいたずら電話等の迷惑な通信を拒否することができる。
【００６４】
また、加入者管理テーブル４１１には、「〇」の他に「有効」と「編集中」のいずれかが設定されている。「有効」は、情報処理端末１１間にて通信可能な状態を示している。「編集中」は、情報処理端末１１のカテゴリ管理テーブル３１を更新中であり、通信が制限（通信規制）されている状態を示している。
【００６５】
加入者管理テーブル４１１が更新されると、カテゴリ管理部４２２は、各情報処理端末１１に記憶されたカテゴリ管理テーブル３１を更新するように制御する。例えば、図１５の「ＩＤ１００１」の情報処理端末１１と「ＩＤ１００７」の情報処理端末１１とが相互に通信可能に設定（更新）された場合、カテゴリ管理部４２２は、「編集中」を設定する。そして、カテゴリ管理部４２２は、「ＩＤ１００１」の情報処理端末１１へ、発信元ＩＤ「１００７」およびカテゴリ情報「家族」と、発信先ＩＤ「１００７」およびカテゴリ情報「家族」と、を含む更新情報を送信する。
【００６６】
「ＩＤ１００１」の情報処理端末１１には、図１６Ａのカテゴリ管理テーブル３１ａが記憶されているとすると、情報処理端末１１のテーブル更新部４５は、サーバ装置１２から送信された更新情報に基づいて、図１６Ｂのカテゴリ管理テーブル３１ａ’を生成する。すなわち、テーブル更新部４５は、カテゴリ管理テーブル３１ａに、新たに発信元ＩＤ「１００７」とカテゴリ情報「家族」を追加するとともに、新たに発信先ＩＤ「１００７」とカテゴリ情報「家族」を追加する。そして、テーブル更新部４５は、カテゴリ管理テーブル３１の更新が完了した場合に、通信部２６を介して、サーバ装置１２へ更新完了を通知する。更新完了を受信すると、カテゴリ管理部４２２は、更新完了を受信した情報処理端末１１の組合せ（例えば「ＩＤ１００１」の情報処理端末１１と「ＩＤ１００７」の情報処理端末１１との組合せ）に設定された加入者管理テーブル４１１の「編集中」を「有効」に変更する。これにより、整合性を維持したまま情報処理端末１１のカテゴリ管理テーブル３１を更新することができる。
【００６７】
また、同様に、カテゴリ管理部４２２は、「ＩＤ１００７」の情報処理端末１１へ、発信元ＩＤ「１００１」およびカテゴリ情報「高齢者」と、発信先ＩＤ「１００１」およびカテゴリ情報「高齢者」と、を含む更新情報を送信する。「ＩＤ１００７」の情報処理端末１１には、図１７Ａのカテゴリ管理テーブル３１ｂが記憶されているとすると、情報処理端末１１のテーブル更新部４５は、サーバ装置１２から送信された更新情報に基づいて、図１７Ｂのカテゴリ管理テーブル３１ｂ’を生成する。すなわち、テーブル更新部４５は、カテゴリ管理テーブル３１ｂに、新たに発信元ＩＤ「１００１」とカテゴリ情報「高齢者」を追加するとともに、新たに発信先ＩＤ「１００１」とカテゴリ情報「高齢者」を追加する。これにより、カテゴリ管理テーブル３１を更新することができる。なお、テーブル更新部４５は、コミュニケーション機能対応テーブル３２を更新することもできる。すなわち、複数のカテゴリ情報の組合せと、当該組合せに対応付けるコミュニケーション機能情報と、を取得して、コミュニケーション機能対応テーブル３２を更新することができる。
【００６８】
なお、サーバ装置１２の通信制御部４２１は、カテゴリ管理部４２２が更新情報を送信する前に、更新情報を送信する情報処理端末１１の通信状態を取得し、情報処理端末１１が通信を行っていない場合に、情報処理端末１１の発信（通信）を制限し、発信規制を通知する。そして、通信制御部４２１は、更新情報を送信した情報処理端末１１から更新完了の通知を受信した場合に、当該情報処理端末１１の発信制限を解除し、発信解除を通知する。これにより、サーバ装置１２が記憶する加入者管理テーブル４１１と、情報処理端末１１が記憶するカテゴリ管理テーブル３１と、の整合性を維持し、確実にカテゴリ管理テーブル３１を更新することができる。
【００６９】
また、サーバ装置１２が通信制御サーバとカテゴリ管理サーバとの２つのサーバ装置を備える場合に、カテゴリ管理サーバが情報処理端末１１と接続するための接続制御部（通信制御手段）（図示せず）を備えることができる。カテゴリ管理サーバが備える接続制御部は、サーバ装置１２の通信制御部４２１と同様に、カテゴリ管理サーバ（カテゴリ管理部４２２）が更新情報を送信する前に、更新情報を送信する情報処理端末１１の通信状態を取得し、情報処理端末１１が通信を行っていない場合に、情報処理端末１１の発信（通信）を制限し、発信規制を通知する。そして、接続制御部は、更新情報を送信した情報処理端末１１から更新完了の通知を受信した場合に、当該情報処理端末１１の発信制限を解除し、発信解除を通知する。これにより、サーバ装置１２が、通信制御サーバとカテゴリ管理サーバとを別々に備える場合に、カテゴリ管理サーバが、通信制御サーバを介することなく当該カテゴリ管理サーバ単体にて、接続する情報処理端末１１との通信を制御することができる。その結果、簡単な構成で確実に情報処理端末１１のカテゴリ管理テーブル３１を更新することができる。
【００７０】
なお、情報処理端末１１が有する機能をサーバ装置１２が有するようにすることもできる。例えば、サーバ装置１２の演算部４０１が、情報処理端末１１の代わりに情報処理端末１１の演算部２１の各種機能を備えるようにすることができる。すなわち、演算部４０１が、演算部２１の代わりに、カテゴリ情報特定部４２と、機能特定部４３と、機能制御部４４と、を備えるようにすることができる。また、サーバ装置１２の記憶部４０３は、情報処理端末１１の代わりに情報処理端末１１の記憶部２３が記憶するコミュニケーション機能対応テーブル３２（およびカテゴリ管理テーブル３１）を記憶するようにすることができる。
【００７１】
情報処理端末１１が有する機能をサーバ装置１２が有する場合について以下に説明する。情報処理端末１１から接続要求が送信されると、サーバ装置１２のカテゴリ情報特定部４２は、情報処理端末１１から送信された接続要求に含まれる発信元の情報処理端末１１に設定された識別情報（発信元識別情報）と、発信先の情報処理端末１１に設定された識別情報（発信先識別情報）と、をそれぞれ取得する。そしてサーバ装置１２のカテゴリ情報特定部４２は、加入者管理テーブル４１１（またはカテゴリ管理テーブル３１）を参照することにより、取得した発信元識別情報に対応付けられた発信元の情報処理端末１１のカテゴリ情報と、取得した発信先識別情報に対応付けられた発信先の情報処理端末１１のカテゴリ情報と、を特定する。
【００７２】
続いて、サーバ装置１２の機能特定手段４３は、特定した発信先の情報処理端末１１のカテゴリ情報と、発信元の情報処理端末１１のカテゴリ情報と、の組合せに基づいて、当該カテゴリ情報の組合せに対応付けられたコミュニケーション機能を特定する。そして、サーバ装置１２の機能制御部４４は、特定したコミュニケーション機能を、情報処理端末１１間にて実行するように制御する。これにより、情報処理端末１１は、図１３のサーバ装置１２の構成を備え、発信元識別情報と発信先識別情報とを取得する機能（例えば取得部４１）を有していればよいので、情報処理端末１１の構成を簡単にすることができるとともに、情報処理端末１１の負荷を低減することができ、性能の低い情報処理端末１１でも所定のコミュニケーション機能を実行することができる。
【００７３】
［動作］
次に、図１８乃至図２２を参照して、上述した通信システム１の動作について詳細に説明する。図１８は、情報処理端末１１間の通信を開始する場合の動作を説明するシーケンス図である。図１９は、コミュニケーション機能実行処理を説明するためのフローチャートである。図２０は、情報処理端末のカテゴリ管理テーブルを説明するための図である。図２１は、加入者管理テーブル更新処理を説明するためのフローチャートである。図２２は、カテゴリ管理テーブルを更新する場合の動作を説明するためのシーケンス図である。
【００７４】
図１８では、情報処理端末ａを操作する高齢者ａが、情報処理端末ｂを操作する高齢者ｂと通話する場合の例について説明する。まず、情報処理端末ａのカテゴリ情報特定部４２Ａは、発信元および発信先の情報処理端末１１の識別情報を取得する（ステップＳ１）。具体的には、まず入力部２４Ａが、情報処理端末ａ（自端末）に設定された識別情報（例えば発信元ＩＤ「１００１」）を取得する。また、発信先の情報処理端末１１の識別情報を取得するために、入力部２４Ａが、図６の高齢者初期画面６１に表示された「おはなし」の項目８３の選択入力を受け付け、出力部２５Ａが、発信者選択画面９１（図７）を表示する。そして、カテゴリ情報特定部４２Ａは、入力部２４Ａにて高齢者ｂを示す「ｂさん」の選択入力を受け付けた場合に、例えば図１６Ａのカテゴリ管理テーブル３１ａを参照して、「ｂさん」の操作する情報処理端末ｂの識別情報（例えば発信先ＩＤ「１００４」）を取得する。
【００７５】
続いて、情報処理端末ａの通信部２６Ａは、サーバ装置１２へ情報処理端末ｂと接続するための接続要求を送信する（ステップＳ２）。なお、接続要求は、発信元の情報処理端末１１（情報処理端末ａ）の識別情報（例えば発信元ＩＤ「１００１」）と、発信先の情報処理端末１１（情報処理端末ｂ）の識別情報と、を含む。
【００７６】
次に、サーバ装置１２の通信部４０４は、ステップＳ２の処理にて送信された接続要求を受信する（ステップＳ１１）。続いて、サーバ装置１２の通信部４０４は、情報処理端末ｂへ接続要求を送信する（ステップＳ１２）。具体的には、通信部４０４は、情報処理端末ａから送信された接続要求に含まれる情報処理端末ｂの識別情報に基づいて、情報処理端末ｂへ接続要求を送信する。
【００７７】
そして、情報処理端末ｂの通信部２６Ａは、ステップＳ１２の処理にて送信された接続要求を受信する（ステップＳ２１）。続いて、情報処理端末ｂの通信部２６Ａは、ステップＳ２１の処理にて受信した接続要求に対する応答を通知する（ステップＳ２２）。次に、情報処理端末ｂは、コミュニケーション機能実行処理を実行する（ステップＳ２３）。情報処理端末１１のコミュニケーション機能実行処理について、図１９を参照して説明する。
【００７８】
図１９のコミュニケーション機能実行処理では、情報処理端末ｂのカテゴリ情報特定部４２Ａは、通信相手の情報処理端末（情報処理端末ａ）の識別情報を取得する（ステップＳ４１）。具体的には、カテゴリ情報特定部４２Ａは、図１８のステップＳ２１の処理にて受信した接続要求に含まれる情報処理端末ａの識別情報（発信元ＩＤ「１００１」）を取得する。続いて、情報処理端末ｂのカテゴリ情報特定部４２Ａは、図２０のカテゴリ管理テーブル３１Ｘを参照して、ステップＳ４１の処理にて取得した識別情報に対応付けられたカテゴリ情報を特定する（ステップＳ４２）。具体的には、カテゴリ情報特定部４２Ａは、図２０の情報処理端末ｂのカテゴリ管理テーブル３１Ｘを参照して、発信元ＩＤ「１００１」（識別情報）に対応付けられた「高齢者」（カテゴリ情報）を特定する。
【００７９】
次に、情報処理端末ｂのカテゴリ情報特定部４２Ａは、自端末のカテゴリ情報を特定する（ステップＳ４３）。すなわち、カテゴリ情報特定部４２Ａは、情報処理端末ｂに予め設定された識別情報に基づいてカテゴリ情報「高齢者」を特定する。続いて、情報処理端末ｂの機能特定部４３Ａは、図５のコミュニケーション機能対応テーブル３２を参照して、ステップＳ４２，Ｓ４３の処理にて特定したカテゴリ情報の組合せに対応付けられたコミュニケーション機能を特定する（ステップＳ４４）。すなわち、機能特定部４３Ａは、発信元の情報処理端末ａのカテゴリ情報「高齢者」と、発信先の情報処理端末ｂのカテゴリ情報「高齢者」と、に対応付けられた「着信機能：ＴＶ電話」を特定する。
【００８０】
次に、情報処理端末ｂの機能制御部４４Ａは、ステップＳ４４の処理にて特定したコミュニケーション機能の実行を制御する（ステップＳ４５）。例えば、機能制御部４４Ａは、「ＴＶ電話」を実行する場合に、図８のＴＶ電話画面１３１を出力部２５に表示し、ＴＶ電話機能を実行する。これにより、情報処理端末ｂにて、所定のコミュニケーション機能が実行される。
【００８１】
図１８の説明に戻り、サーバ装置１２の通信部４０４は、ステップＳ２２の処理にて情報処理端末ｂから送信された応答を受信する（ステップＳ１３）。続いて、サーバ装置１２の通信部４０４は、情報処理端末ａへ応答を通知する（ステップＳ１４）。そして、サーバ装置１２の通信制御部４２１は、情報処理端末ａと情報処理端末ｂとの間の接続を確立する（ステップＳ１５）。
【００８２】
続いて、情報処理端末ａの通信部２６Ａは、情報処理端末ｂからサーバ装置１２を介して送信された応答を受信する（ステップＳ３）。そして、情報処理端末ａは、コミュニケーション機能実行処理を実行する（ステップＳ４）。なお、ステップＳ４の情報処理端末ａのコミュニケーション機能実行処理は、ステップＳ２３の情報処理端末ｂのコミュニケーション機能実行処理と同様であるので、簡単に説明する。
【００８３】
すなわち、情報処理端末ａのカテゴリ情報特定部４２Ａは、通信相手の情報処理端末（情報処理端末ｂ）の識別情報を取得する（ステップＳ４１）。なお、情報処理端末ａは、ステップＳ１の処理にて識別情報を取得しているので、ステップＳ４１の処理は省略してもよい。続いて、情報処理端末ａのカテゴリ情報特定部４２Ａは、取得した識別情報に対応付けられたカテゴリ情報を特定する（ステップＳ４２）。具体的には、カテゴリ情報特定部４２Ａは、図１６の情報処理端末ａのカテゴリ管理テーブル３１ａを参照して、発信先ＩＤ「１００４」（識別情報）に対応付けられた「高齢者」（カテゴリ情報）を特定する。
【００８４】
次に、情報処理端末ａのカテゴリ情報特定部４２Ａは、自端末のカテゴリ情報を特定する（ステップＳ４３）。すなわち、カテゴリ情報特定部４２Ａは、情報処理端末ａに予め設定された識別情報に基づいてカテゴリ情報「高齢者」を特定する。続いて、情報処理端末ａの機能特定部４３Ａは、特定したカテゴリ情報の組合せに対応付けられたコミュニケーション機能を特定する（ステップＳ４４）。これにより、情報処理端末ａにて、所定のコミュニケーション機能が実行される。
【００８５】
このように、通信を行う情報処理端末１１の組合せに応じて、自動的にコミュニケーション機能を特定し実行するので、操作に慣れていないユーザ（例えば高齢者）が情報処理端末１１を利用する場合でも、確実にコミュニケーション機能を利用することができる。
【００８６】
次に、図２１を参照して、サーバ装置１２が図１５の加入者管理テーブル４１１を更新する場合の処理について説明する。図２１の加入者管理テーブル更新処理では、まずサーバ装置１２の加入者管理テーブル更新部４１１は、発信元の情報処理端末の識別情報とカテゴリ情報とを取得する（ステップＳ６１）。例えば、カテゴリ管理部４２２は、サーバ装置１２の入力部（図示せず）、または、通信部４０４を介して、発信元の情報処理端末の識別情報「１００１」とカテゴリ情報「高齢者」とを取得する。
【００８７】
続いて、サーバ装置１２のカテゴリ管理部４２２は、発信先の情報処理端末の識別情報とカテゴリ情報とを取得する（ステップＳ６２）。例えば、カテゴリ管理部４２２は、発信先の情報処理端末の識別情報「１００７」とカテゴリ情報「家族」とを取得する。なお、ステップＳ６２の処理はステップＳ６１の処理と同じタイミングにて実行されてもよい。すなわち、カテゴリ管理部４２２は、発信元の情報処理端末の識別情報およびカテゴリ情報と、発信先の情報処理端末の識別情報およびカテゴリ情報と、のそれぞれを同じタイミングにて取得することができる。
【００８８】
そして、サーバ装置１２のカテゴリ管理部４２２は、ステップＳ６１，Ｓ６２の処理にて取得した識別情報とカテゴリ情報とに基づいて、加入者管理テーブルを更新する（ステップＳ６３）。例えば、カテゴリ管理部４２２は、発信元の識別情報「１００１」と発信先の識別情報「１００７」とにより特定される加入者管理テーブル４１１の欄に「○」を設定する。なお、加入者管理テーブル４１１の欄の「○」は、通信可能な情報処理端末１１の組合せを示している。ステップＳ６３の処理の後、加入者管理テーブル更新処理は終了する。これにより、所定の情報処理端末１１が、新たに他の情報処理端末１１と通信することを容認することができる。
【００８９】
次に、図２２を参照して、更新された加入者管理テーブル４１１の情報に基づいて、情報処理端末１１のそれぞれが記憶するカテゴリ管理テーブル３１を更新する場合の処理について説明する。なお、情報処理端末ａの処理（ステップＳ９１乃至Ｓ９７）と、情報処理端末ｂの処理（ステップＳ１１１乃至Ｓ１１７）と、の処理は同様であるので、情報処理端末ａの処理について説明する。図２２の処理では、カテゴリ管理部４２２が、図１５の加入者管理テーブル４１１に含まれる、情報処理端末ａと情報処理端末ｂとの組合せに対応付けられた通信の可否を表す情報を更新した場合の処理について説明する。
【００９０】
まず、サーバ装置１２の通信制御部４２１は、情報処理端末１１の通信状態を取得する（ステップＳ７１）。例えば、情報処理端末ａと情報処理端末ｂのそれぞれが通信を行っているか否かを表す情報を取得する。情報処理端末１１が通信を行っていない場合、サーバ装置１２の通信制御部４２１は、発信規制を通知する（ステップＳ７２）。例えば、通信制御部４２１は、情報処理端末ａと情報処理端末ｂとのそれぞれへ発信規制を通知する。続いて、通信制御部４２１は、情報処理端末１１（例えば情報処理端末ａと情報処理端末ｂ）の通信を制限する。
【００９１】
次に、情報処理端末ａの通信部２６は、サーバ装置１２から送信された発信規制を受信し（ステップＳ９１）、受信した発信規制に対する応答を通知する（ステップＳ９２）。そして、サーバ装置１２の通信制御部４２１は、発信規制を送信した情報処理端末１１（情報処理端末ａと情報処理端末ｂ）から応答を受信する（ステップＳ７４）。続いて、サーバ装置１２のカテゴリ管理部４２１は、加入者管理テーブル４１１の更新情報を取得する（ステップＳ７５）。例えば、カテゴリ管理部４２２は、発信元の情報処理端末ａのＩＤおよびカテゴリ情報を含む更新情報と、発信先の情報処理端末ｂのＩＤおよびカテゴリ情報を含む更新情報と、を取得する。そして、サーバ装置１２のカテゴリ管理部４２２は、加入者管理テーブル４１１に編集中を設定する（ステップＳ７６）。例えば、カテゴリ管理部４２２は、発信元の情報処理端末ａ（のＩＤ）と発信先の情報処理端末ｂ（のＩＤ）の組合せに対応付けられた欄に「編集中」を設定する。
【００９２】
そして、カテゴリ管理部４２２は、通信部４０４を介して、更新情報を送信する（ステップＳ７７）。具体的には、カテゴリ管理部４２２は、情報処理端末ａへ、発信先の情報処理端末ｂのＩＤおよびカテゴリ情報を含む更新情報を送信し、情報処理端末ｂへ、発信元の情報処理端末ａのＩＤおよびカテゴリ情報を含む更新情報を送信する。
【００９３】
次に、情報処理端末ａの通信部２６は、サーバ装置１２から送信された更新情報を受信する（ステップＳ９３）。そして、情報処理端末ａのテーブル更新部４５は、受信した更新情報に基づいて、カテゴリ管理テーブル３１を更新する（ステップＳ９４）。例えば、テーブル更新部４５は、情報処理端末ｂのＩＤ（発信先ＩＤ）とカテゴリ情報とを対応付けてカテゴリ管理テーブル３１に記憶する。続いて、テーブル更新部４５は、通信部２６を介して、サーバ装置１２へ更新完了を通信する（ステップＳ９５）。
【００９４】
次に、サーバ装置１２の通信制御部４２１は、更新情報を送信した情報処理端末１１（情報処理端末ａと情報処理端末ｂ）から更新完了を受信する（ステップＳ７８）。続いて、サーバ装置１２の通信制御部４２１は、情報処理端末１１（例えば情報処理端末ａと情報処理端末ｂ）の通信の制限を解除し（ステップＳ７９）、発信規制の解除を情報処理端末１１へ通知する（ステップＳ８０）。情報処理端末ａの通信部２６は、サーバ装置１２から送信された発信規制の解除を受信し（ステップＳ９６）、受信した発信規制に対する応答を通知する（ステップＳ９７）。
【００９５】
そして、サーバ装置１２の通信制御部４２１は、発信規制の解除を通知した情報処理端末１１（情報処理端末ａと情報処理端末ｂ）から応答を受信する（ステップＳ８１）。続いて、サーバ装置１２のカテゴリ管理部４２１は、加入者管理テーブル４１１に有効を設定する（ステップＳ８２）。例えば、カテゴリ管理部４２２は、発信元の情報処理端末ａ（のＩＤ）と発信先の情報処理端末ｂ（のＩＤ）の組合せに対応付けられた欄に設定した「編集中」を「有効」に設定（変更）する。これにより、サーバ装置１２が記憶する加入者管理テーブル４１１と、情報処理端末１１が記憶するカテゴリ管理テーブル３１と、の整合性を維持し、確実にカテゴリ管理テーブル３１を更新することができる。
【００９６】
以上、上記実施形態を参照して本願発明を説明したが、本願発明は、上述した実施形態に限定されるものではない。本願発明の構成及び詳細に、本願発明の範囲内において当業者が理解し得る様々な変更をすることができる。
【００９７】
＜付記＞
上記実施形態の一部又は全部は、以下の付記のようにも記載されうる。以下、本発明における通信システム等の構成の概略を説明する。但し、本発明は、以下の構成に限定されない。
【００９８】
（付記１）
複数の情報処理端末と、複数の前記情報処理端末間の通信を制御するサーバ装置と、を備える通信システムであって、
前記情報処理端末がそれぞれ分類されたカテゴリ情報の組合せと、複数の前記情報処理端末間にて通信を行う場合に前記情報処理端末間にて行われる予め設定された通信機能を特定する通信機能情報と、を対応付けて記憶する機能情報記憶手段と、
複数の前記情報処理端末間にて通信を行う場合に、当該各情報処理端末に設定された前記カテゴリ情報を特定するカテゴリ情報特定手段と、
前記カテゴリ情報特定手段にて特定した前記カテゴリ情報の組合せに対応付けられた前記通信機能情報にて特定される前記通信機能を、前記情報処理端末間にて実行するように制御する機能制御手段と、
を備える通信システム。
【００９９】
これによれば、複数の情報処理端末間にて通信を行う場合に、通信を行う情報処理端末に設定されたカテゴリ情報の組合せに応じて、自動的にコミュニケーション機能を特定し実行するので、操作に慣れていないユーザが情報処理端末を利用する場合でも、確実に通信機能を利用することができる。
【０１００】
（付記２）
付記１に記載の通信システムであって、
前記情報処理端末に予め設定された識別情報と、当該情報処理端末に設定された前記カテゴリ情報と、を対応付けたカテゴリ管理情報を記憶するカテゴリ管理情報記憶手段、
を備え、
前記カテゴリ情報特定手段は、複数の前記情報処理端末間にて通信を行う場合に、通信を行う前記情報処理端末に設定された前記識別情報を取得し、取得した前記識別情報に対応づけられた前記カテゴリ情報を前記カテゴリ管理情報から特定する、
通信システム。
【０１０１】
これによれば、情報処理端末の識別情報とカテゴリ情報とが対応づけて記憶されるので、情報処理端末の識別情報から自動的にカテゴリ情報が取得され、取得されたカテゴリ情報の組合せに応じた通信機能を利用することができる。
【０１０２】
（付記３）
付記２に記載の通信システムであって、
前記情報処理端末の前記識別情報と、当該情報処理端末が通信可能な他の情報処理端末の前記識別情報と、を対応付けた利用端末管理情報を記憶する利用端末管理情報記憶手段と、
前記利用端末管理情報に基づいて、通信を行う前記情報処理端末間が通信可能である場合に、当該情報処理端末間を接続するように通信を制御する通信制御手段と、
を備え、
前記機能制御手段は、前記通信制御手段にて接続制御された前記情報処理端末間にて、前記通信機能を実行するように制御する、
通信システム。
【０１０３】
これによれば、情報処理端末間の通信が可能である場合に、その情報処理端末間にて通信機能を実行するので、知らない通信相手と通信することがなく、利用者の利便性を向上することができる。
【０１０４】
（付記４）
付記３に記載の通信システムであって、
前記情報処理端末の前記識別情報と前記カテゴリ情報との組合せを取得して、前記カテゴリ管理情報を更新する更新手段、
を備え、
前記通信制御手段は、前記更新手段にて前記カテゴリ管理情報が更新されている間、更新される前記識別情報にて特定される前記情報処理端末の接続を制限し、前記更新手段にて更新が完了した場合に、前記情報処理端末の接続の制限を解除する、
通信システム。
【０１０５】
これによれば、カテゴリ管理情報を更新する間は、更新される情報処理端末の接続を制限するので、カテゴリ管理情報の整合性を保つことができる。
【０１０６】
（付記５）
付記２乃至４のいずれかに記載の通信システムであって、
前記情報処理端末は、前記機能情報記憶手段と、前記カテゴリ情報特定手段と、前記機能制御手段と、前記カテゴリ管理情報記憶手段と、を備え、
前記カテゴリ情報特定手段は、発信元の情報処理端末と、発信先の情報処理端末と、にそれぞれ設定された前記識別情報に基づいて、前記発信元の情報処理端末の前記カテゴリ情報と、前記発信先の情報処理端末の前記カテゴリ情報と、を特定し、
前記機能制御手段は、特定した前記発信元の情報処理端末の前記カテゴリ情報と、前記発信先の情報処理端末の前記カテゴリ情報と、の組合せに基づいて、当該カテゴリ情報の組合せに対応付けられた前記通信機能情報にて特定される前記通信機能を、前記情報処理端末間にて実行するように制御する、
通信システム。
【０１０７】
これによれば、情報処理端末が発信元と発信先の情報処理端末のカテゴリ情報を取得し、そのカテゴリ情報の組合せに対応付けられた通信機能を特定するので、通信を行う情報処理端末間にて確実に通信機能を実行することができる。
【０１０８】
（付記６）
付記５に記載の通信システムであって、
前記サーバ装置は、前記情報処理端末の前記識別情報と、当該情報処理端末が通信可能な他の情報処理端末の前記識別情報と、を対応付けた利用端末管理情報を記憶する利用端末管理情報記憶手段と、
前記利用端末管理情報に基づいて、通信を行う前記情報処理端末間が通信可能である場合に、当該情報処理端末間を接続するように通信を制御する通信制御手段と、
所定の情報処理端末の前記識別情報および前記カテゴリ情報と、当該情報処理端末が通信可能な他の情報処理端末の前記識別情報および前記カテゴリ情報と、を取得して前記利用端末管理情報を更新する利用端末更新手段と、
を備え、
前記情報処理端末は、前記利用端末更新手段にて前記利用端末管理情報が更新された場合に、更新された前記情報処理端末の前記識別情報と前記カテゴリ情報との組合せを取得して、前記カテゴリ管理情報を更新する更新手段、
を備え、
前記通信制御手段は、前記更新手段にて前記カテゴリ管理情報が更新されている間、更新される前記識別情報にて特定される前記情報処理端末の通信を制限し、前記更新手段から更新完了が通知された場合に、前記情報処理端末の通信の制限を解除する、
通信システム。
【０１０９】
これによれば、サーバ装置に記憶された利用端末管理情報が更新された場合に、その更新情報に基づいて、情報処理端末に記憶されたカテゴリ管理情報を記憶する。そして、カテゴリ管理情報を更新する間は、更新される情報処理端末の接続を制限するので、更新したカテゴリ管理情報と、他の情報処理端末に記憶される他のカテゴリ管理情報との整合性を保つことができる。
【０１１０】
（付記７）
付記２乃至４のいずれかに記載の通信システムであって、
前記サーバ装置は、前記機能情報記憶手段と、前記カテゴリ情報特定手段と、前記機能制御手段と、前記カテゴリ管理情報記憶手段と、を備え、
前記カテゴリ情報特定手段は、発信元の情報処理端末と、発信先の情報処理端末と、にそれぞれ設定された前記識別情報に基づいて、前記発信元の情報処理端末の前記カテゴリ情報と、前記発信先の情報処理端末の前記カテゴリ情報と、を特定し、
前記機能制御手段は、特定した前記発信元の情報処理端末の前記カテゴリ情報と、前記発信先の情報処理端末の前記カテゴリ情報と、の組合せに基づいて、当該カテゴリ情報の組合せに対応付けられた前記通信機能情報にて特定される前記通信機能を、前記情報処理端末間にて実行するように制御する、
通信システム。
【０１１１】
これによれば、サーバ装置が発信元と発信先の情報処理端末のカテゴリ情報を取得し、そのカテゴリ情報の組合せに対応付けられた通信機能を特定し、特定した通信機能をサーバ装置へ通知するので、情報処理端末の負荷を軽減するとともに、情報処理端末にて確実に通信機能を実行することができる。
【０１１２】
（付記８）
付記４乃至７に記載の通信システムであって、
前記更新手段は、複数の前記カテゴリ情報の組合せと、当該組合せに対応付ける前記通信機能情報と、を取得して、前記機能対応情報を更新する、
通信システム。
【０１１３】
これによれば、カテゴリ情報の組合せに応じて実行するコミュニケーション機能を変更可能なので、カテゴリ情報の組合せに応じた最適な通信機能を実行することができる。
【０１１４】
（付記９）
情報処理端末がそれぞれ分類されたカテゴリ情報の組合せと、複数の前記情報処理端末間にて通信を行う場合に前記情報処理端末間にて行われる予め設定された通信機能を特定する通信機能情報と、を対応付けて記憶する機能情報記憶手段と、
複数の前記情報処理端末間にて通信を行う場合に、当該各情報処理端末に設定された前記カテゴリ情報を特定するカテゴリ情報特定手段と、
特定した前記カテゴリ情報の組合せに対応付けられた前記通信機能情報にて特定される前記通信機能を、前記情報処理端末間にて実行するように制御する機能制御手段と、
を備える情報処理端末。
【０１１５】
（付記１０）
付記９に記載の情報処理端末であって、
前記情報処理端末に予め設定された識別情報と、当該情報処理端末に予め設定された前記カテゴリ情報と、を対応付けたカテゴリ管理情報を記憶するカテゴリ管理情報記憶手段、
を備え、
前記カテゴリ情報特定手段は、複数の前記情報処理端末間にて通信を行う場合に、通信を行う前記情報処理端末に設定された前記識別情報を取得し、取得した前記識別情報に対応づけられた前記カテゴリ情報を前記カテゴリ管理情報から特定する、
情報処理端末。
【０１１６】
（付記１１）
情報処理端末に、
前記情報処理端末がそれぞれ分類されたカテゴリ情報の組合せと、複数の前記情報処理端末間にて通信を行う場合に前記情報処理端末間にて行われる予め設定された通信機能を特定する通信機能情報と、を対応付けて記憶する機能情報記憶手段と、
複数の前記情報処理端末間にて通信を行う場合に、当該各情報処理端末に設定された前記カテゴリ情報を特定するカテゴリ情報特定手段と、
特定した前記カテゴリ情報の組合せに対応付けられた前記通信機能情報にて特定される前記通信機能を、前記情報処理端末間にて実行するように制御する機能制御手段と、
を実現させるためのプログラム。
【０１１７】
（付記１２）
付記１１に記載のプログラムであって、
前記情報処理端末は、前記情報処理端末に予め設定された識別情報と、当該情報処理端末に予め設定された前記カテゴリ情報と、を対応付けたカテゴリ管理情報を記憶するカテゴリ管理情報記憶手段を備え、
前記カテゴリ情報特定手段は、複数の前記情報処理端末間にて通信を行う場合に、通信を行う前記情報処理端末に設定された前記識別情報を取得し、取得した前記識別情報に対応づけられた前記カテゴリ情報を前記カテゴリ管理情報から特定する、
プログラム。
【０１１８】
（付記１３）
情報処理端末がそれぞれ分類されたカテゴリ情報の組合せと、複数の前記情報処理端末間にて通信を行う場合に前記情報処理端末間にて行われる予め設定された通信機能を特定する通信機能情報と、を対応付けて記憶し、
複数の前記情報処理端末間にて通信を行う場合に、当該各情報処理端末に設定された前記カテゴリ情報を特定し、
特定した前記カテゴリ情報の組合せに対応付けられた前記通信機能情報にて特定される前記通信機能を、前記情報処理端末間にて実行するように制御する、
情報処理方法。
【０１１９】
（付記１４）
付記１３に記載の情報処理方法であって、
前記情報処理端末は、前記情報処理端末に予め設定された識別情報と、当該情報処理端末に予め設定された前記カテゴリ情報と、を対応付けたカテゴリ管理情報を記憶するカテゴリ管理情報記憶手段を備え、
複数の前記情報処理端末間にて通信を行う場合に、通信を行う前記情報処理端末に設定された前記識別情報を取得し、取得した前記識別情報に対応づけられた前記カテゴリ情報を前記カテゴリ管理情報から特定する、
情報処理方法。
【０１２０】
（付記１５）
情報処理端末がそれぞれ分類されたカテゴリ情報の組合せと、複数の前記情報処理端末間にて通信を行う場合に前記情報処理端末間にて行われる予め設定された通信機能を特定する通信機能情報と、を対応付けて記憶する機能情報記憶手段と、
前記情報処理端末に予め設定された識別情報と、当該情報処理端末に設定された前記カテゴリ情報と、を対応付けたカテゴリ管理情報を記憶するカテゴリ管理情報記憶手段と、
を備える情報処理端末間の通信を制御するサーバ装置であって、
前記情報処理端末の前記識別情報および前記カテゴリ情報と、当該情報処理端末が通信可能な他の情報処理端末の前記識別情報および前記カテゴリ情報と、を対応付けた利用端末管理情報を記憶する利用端末管理情報記憶手段と、
前記情報処理端末にて前記カテゴリ管理情報が更新されている間、当該情報処理端末の通信を制限し、当該情報処理端末から更新完了が通知された場合に、当該情報処理端末の通信制限を解除する通信制御手段と、
所定の情報処理端末の前記識別情報および前記カテゴリ情報と、当該情報処理端末が通信可能な他の情報処理端末の前記識別情報および前記カテゴリ情報と、を取得して前記利用端末管理情報を更新する利用端末更新手段と、
を備え、
前記利用端末更新手段は、前記情報処理端末にて前記カテゴリ管理情報を更新させるために、取得した前記情報処理端末の前記識別情報と前記カテゴリ情報との組合せを前記情報処理端末へ送信する、
サーバ装置。
【０１２１】
（付記１６）
付記１５に記載のサーバ装置であって、
前記通信制御手段は、前記利用端末管理情報に基づいて、通信を行う前記情報処理端末間が通信可能である場合に、当該情報処理端末間を接続するように通信を制御する、
サーバ装置。
【符号の説明】
【０１２２】
１  通信システム
１１  情報処理端末
１２  サーバ装置
１３  通信網
２１  演算部
２２  ＲＡＭ
２３  記憶部
２４  入力部
２５  出力部
２６  通信部
３１  カテゴリ管理テーブル
３２  コミュニケーション機能対応テーブル
４１  取得部
４２  カテゴリ情報特定部
４３  機能特定部
４４  機能制御部
４５  テーブル更新部
４０１  演算部
４０２  ＲＡＭ
４０３  記憶部
４０４  通信部
４１１  加入者管理テーブル
４２１  通信制御部
４２２  カテゴリ管理部
【図１】
2014072772.tif 000003
【図２】
2014072772.tif 000004
【図３】
2014072772.tif 000005
【図４】
2014072772.tif 000006
【図５】
2014072772.tif 000007
【図６】
2014072772.tif 000008
【図７】
2014072772.tif 000009
【図８】
2014072772.tif 000010
【図９】
2014072772.tif 000011
【図１０】
2014072772.tif 000012
【図１１】
2014072772.tif 000013
【図１２】
2014072772.tif 000014
【図１３】
2014072772.tif 000015
【図１４】
2014072772.tif 000016
【図１５】
2014072772.tif 000017
【図１６】
2014072772.tif 000018
【図１７】
2014072772.tif 000019
【図１８】
2014072772.tif 000020
【図１９】
2014072772.tif 000021
【図２０】
2014072772.tif 000022
【図２１】
2014072772.tif 000023
【図２２】
2014072772.tif 000024